(57)【要約】【課題】簡単な構造で回転型扉の開度を保持する構造を可能とする。【解決手段】コの字型ストッパー棒の一端を扉裏面に取付けた金具に回動自在の状態で取付け、該ストッパー棒の他端を本体下端部に取付けたガイドレール内を扉の開閉動作に連動させ自在にスライドする構造とし、扉開動作時はガイドレール内の手前の面に接触した状態でスライドするため、ガイドレール手前部分に設けた孔にストッパー棒が落ち込み、開角度が保持される。逆に扉閉動作時はストッパー棒がガイドレール内の背面に接触した状態でスライドをするヒステリシス動作を行うため、ガイドレール手前部分に設けた孔にはストッパー棒が掛からずに完全に扉を閉めることが可能になる。また、扉閉動作途中で開動作を行えば扉開状態を保持することが可能になる。【選択図】図1
2006002453.tif 000002
【特許請求の範囲】
【請求項１】
回転型扉を本体に係留し、コの字型のストッパー棒の一端が扉側に回動自在に取付けら
れ、該ストッパー棒の他端は本体に取付けられたガイドレール内を扉の開閉動作に連動し
てヒステリシス動作し、扉開動作時のみ前記ガイドレール手前部分に設けられた孔にスト
ッパー棒が落ち込み、扉の開角度を保持する構造を有していることを特徴とする扉ストッ
パー。
【請求項２】
上記扉ストッパーにおいて本体側に取付けられたガイドレールの孔位置、孔数の設定が
自在で、それにより扉開角度及び扉固定位置数が任意に実現できる構造を有していること
を特徴とする扉ストッパー。
【請求項３】
上記扉ストッパーにおいて、コの字型のストッパー棒を少し持ち上げ、扉の開閉動作を
するのみで、扉の開角度を調整する構造を有していることを特徴とする扉ストッパー。
【発明の詳細な説明】
【技術分野】
【０００１】
本発明は、回転型扉に関するもので、さらに詳しくは扉を任意の角度で開いた状態に保
持する扉ストッパー装置に関するものである。
【背景技術】
【０００２】
扉の開き角度調整用の扉ストッパーについては、通常扉の開き角度を９０度で止めるた
めの金具や装置が多く装着されているが、例えば図８に示すように回転型扉を有する物を
壁面などに寄せた状態で設置しなければならない施工状況または、図９に示すような２枚
の扉を有する構造の物を設置する場合においては、扉が９０度開いた状態では扉面の凸型
機器が壁面または他方の扉に緩衝し、機器を破損する恐れが有る。
【０００３】
そのため、このような設置状況においては図９のような扉が２枚ある場合、扉２１が９
０度開いた状態で他方の扉２２を９０度開く手前で開角度を保持する必要が有る。
【０００４】
そこで従来は図７に示すように本体に設置されたコの字型のストッパー棒１３を、扉面
に設けたストッパー棒保持金具２４の孔２５に、その都度本体から外して掛けるという動
作を行っていた。
【特許文献１】実開平２−６４６７１号
【発明の開示】
【発明が解決しようとする課題】
【０００５】
上記の従来技術の扉ストッパー装置では扉を開ききる前の状態でストッパー棒をストッ
パー棒保持金具に掛けてやる作業が発生するため、無意識に扉を開いた場合、扉の凸型機
器あるいは扉自身が損傷する恐れがある。
【０００６】
従って、本発明の目的は上記の問題を解消し、簡単な構造で作業性、安全性に優れ、低
コストの扉ストッパー装置を提供することにある。
【課題を解決するための手段】
【０００７】
本発明は、上記課題を解決するために考案したものであって、簡単な構造で扉を任意の
角度で開いた状態に保持する扉ストッパーを提供するものである。
【０００８】
前記課題を解決するために本発明が採用した請求項１の手段は、回転型扉を本体に係留
し、丸棒をコの字型に加工したストッパー棒の一端を扉裏面に取付けた扉ストッパー棒保
持金具に設けた固定孔に回動自在の状態で取付け、該ストッパー棒の他端を本体下端部に
取付けたガイドレール内を扉の開閉動作に連動させ自在にスライドする構造であり、その
動作のうち扉開動作時は本体と扉の係留部を中心に扉が手前に引かれると共にストッパー
棒がガイドレール内の手前の面に接触した状態でスライドし、前記ガイドレール手前部分
設けられた孔にストッパー棒が落ち込み、扉の開角度を保持する。
【０００９】
逆に扉閉動作時は本体と扉の係留部を中心に扉が後方に押されるとともにストッパー棒
がガイドレール内の背面に接触した状態でスライドをするヒステリシス動作を行うため、
ガイドレール手前部分に設けられた孔は素通りすることが可能になり、ガイドレール手前
部分に複数の孔が設けられていても、扉閉動作時には扉開状態を保持しない構造が可能になる。
【００１０】
また本発明が採用した請求項２の手段は使用状況に応じて扉の開角度を保持したい位置
が異なってくるため、前記ガイドレールに設ける孔位置および孔数の設定により扉開角度
及び扉固定位置数が任意に実現できる構造が可能になる。
【００１１】
また本発明が採用した請求項３の手段は扉の開角度を保持した状態でコの字型のストッ
パー棒を少し持ち上げ、扉の開閉動作をするのみで、扉の開角度を調整する構造を有して
いるため、従来のストッパーのようにストッパー棒をストッパー棒保持金具に掛けてやる
作業をしなくても設定した角度で開いた状態を保持することが可能になる。
【発明の効果】
【００１２】
以上のように本発明の扉ストッパーは、コの字型に加工したストッパー棒の一端を扉裏
面に取付けた扉ストッパー棒保持金具に設けた固定孔に回動自在の状態で取付け、該スト
ッパー棒の他端を本体下端部に取付けたガイドレール内を扉の開閉動作に連動させ自在に
スライドする構造であるので、扉開動作時は、ガイドレール内の手前の面に接触した状態
でスライドし、使用状況に応じてガイドレール手前部分に設けた孔にストッパー棒が落ち
込み、開角度が保持され、更に扉開角度を調整する際は、ストッパー棒を少し持ち上げて
扉の開閉動作をするのみで扉の開角度を調整することが可能になる。
【００１３】
逆に扉閉動作時は扉が後方に押されるとともにストッパー棒がガイドレール内の背面に
接触した状態でスライドをするヒステリシス動作を行うため、ガイドレール手前部分に設
けた孔にはストッパー棒が掛からずに完全に扉を閉めることが可能になる。
【００１４】
また、扉閉動作途中で開動作を行えば扉開状態を保持することが可能になる。
【００１５】
以上のように、扉ストッパーの構成も極めて簡単である。
【発明を実施するための最良の形態】
【００１６】
以下、本発明の好ましい実施の形態について、図面を参照してより詳細に説明する。
【００１７】
図１は本発明にかかる回転型扉の開き角度調整構造の扉開動作時を上方から見た図であ
り、図２は扉閉動作時を上方から見た図である。
【００１８】
図１において扉ストッパー棒１３の一端１３Ａは扉１１の裏面に取り付けられたストッ
パー棒保持金具１８に設けられた孔１９に回動自在の状態で取付けられ、更にストッパー
棒が孔１９から抜けるのを防止するため、ストッパー棒に図３の割ピン２０を取付けると
ともに、図１においてストッパー棒の他端１３Ｂは本体下端部１０の内側に取付けられた
ガイドレール１４の溝内に収まっている。
【００１９】
図３に示すようにガイドレール１４は凹凸のあるレールであり、図1に示すように凹部
の手前部分に孔１６、１７が設けられている。
【００２０】
次に、本発明のスイングドア開き角度保持構造について説明する。
【００２１】
図１において、扉１１が完全に閉まっている状態ではストッパー棒１３の一端１３Ｂは
アの位置で停止しており、扉の開動作時は本体に係留された扉１１が係留部１２を回転中
心にして手前に引かれるとともにストッパー棒１３の一端１３Ｂは、ガイドレール１４の
内側に引っ張られイの位置に移動し、更に扉開動作を続けるとガイドレール１４の内側を
スライドし、ウの方向へ移動し始めガイドレール１４の手前部分に設けられた孔１６にス
トッパー棒１３の一端１３Ｂが落ち込み、扉１１の開角度を保持する。
【００２２】
一旦、開角度を保持した扉１１は孔１６に落ちたストッパー棒の一端１３Ｂが孔１６を
避ける程度持ち上げない限り、扉に強い力が掛かっても開角度を保持する。
【００２３】
更に扉開角度を調整する際は、ストッパー棒１３を少し持ち上げ、扉の開動作をすると
ガイドレール１４の内側をスライドし、エの方向へ移動し始め、ガイドレール手前部分に
設けられた孔１７にストッパー棒１３の一端１３Ｂが落ち込み、扉の開角度を保持する。
【００２４】
逆に扉閉動作時は図２に示すように扉１１が係留部１２を回転中心にして後方に押され
るとともにストッパー棒１３の一端１３Ｂがガイドレール内のオの位置に移動し背面に接
触した状態でカからアに向かってスライドし、ガイドレール１４の手前部分に設けられた
孔は素通りすることが可能になり、ガイドレール手前部分に１６、１７以外にも複数の孔
が設けられていても、扉閉動作時は扉開状態を保持しない構造が可能になる。
【００２５】
また、扉閉動作途中で開動作を行えば、ストッパー棒１３の一端１３Ｂはヒステリシス
運動をするため、再度ガイドレール１４の内側をスライドし、ガイドレール手前部分に設
けた孔にストッパー棒が落ち込み、扉開状態を保持することが可能になる。
【００２６】
このようにストッパー棒１３がガイドレール内を扉の開閉動作により、ヒステリシス運
動を行うために本発明は可能になった。
【実施例１】
【００２７】
図５は本発明の扉ストッパーを装着した配電盤の扉を一定の角度で保持した状態を上か
ら見た図である。
【００２８】
図６に示すように配電盤の扉には凸型機器が装備されており、扉２１，２２が９０度開
いた状態では扉機器あるいは扉自体が緩衝して、機器及び扉の破損が発生する。
【００２９】
無意識に扉を開いたり、また風の力などの外力が働き、扉が開いた場合でも本発明によ
る扉ストッパーの場合確実に設定した角度で扉開状態が保持され、その角度以上開かない
ので機器の破損及び扉の破損を防ぐことが可能になる。
【図面の簡単な説明】
【００３０】
【図１】本発明に掛かる一実施例の扉装置を用いて扉開動作時の概略を示す図である。
【図２】本発明に掛かる一実施例の扉装置を用いて扉閉動作時の概略を示す図である。
【図３】図２のＡ−Ａ断面を示す図である。
【図４】本発明に掛かる一実施例の扉装置を斜め上方から見た図である
【図５】本発明に掛かる一実施例の配電盤の扉を開いた状態を上方から見た図である。
【図６】本発明に掛かる一実施例の配電盤を正面から見た図である。
【図７】従来の扉ストッパーの概略を示す図である。
【図８】従来技術に関するものであり、回転型扉を有するものを壁際に配置した図である。
【図９】従来技術に関するものであり、２枚の回転型扉を有するものの図である。
【符号の説明】
【００３１】
１０      本体
１１      扉
１１Ａ    扉保持位置Ａ
１１Ｂ    扉保持位置Ｂ
１２      蝶番
１３      ストッパー棒
１３Ａ    ストッパー棒の一端
１３Ｂ    ストッパー棒の一端
１４      ガイドレール
１５      ガイドレールカバー
１６      ガイドレール孔
１７      ガイドレール孔
１８      ストッパー棒保持金具
１９      ストッパー棒保持金具孔
２０      ストッパー棒割ピン
２１      扉
２２      扉
２３      扉面凸型機器
２４      ストッパー棒保持金具
２５      ストッパー棒保持金具孔
２６      壁面
【図１】
2006002453.tif 000003
【図２】
2006002453.tif 000004
【図３】
2006002453.tif 000005
【図４】
2006002453.tif 000006
【図５】
2006002453.tif 000007
【図６】
2006002453.tif 000008
【図７】
2006002453.tif 000009
【図８】
2006002453.tif 000010
【図９】
2006002453.tif 000011